(57)【要約】      （修正有）【課題】ボタンの選択に伴う労力を低減して、ボタンの確実な操作を実現する商品管理装置を提供する。【解決手段】対面計量器は、操作者側表示部と、勤務情報取得部４６２と、ボタン変更部４６６とを備える。操作者側表示部は、複数の従業員ボタンを表示する。勤務情報取得部４６２は、操作者の勤務情報を取得する。ボタン変更部４６６は、勤務情報取得部４６２が取得した勤務情報に基づいて、操作者側表示部に表示される従業員ボタンの位置、配置および大きさの３つの項目のうち少なくとも１つを変更する。【選択図】図１２
2016062341.tif 000002
【特許請求の範囲】
【請求項１】
店舗において複数の操作者によって使用され、かつ、使用時に前記操作者の選択を要求する商品管理装置であって、
複数の操作ボタンを表示する表示部と、
前記操作者の勤務情報を取得する取得部と、
前記取得部が取得した前記勤務情報に基づいて、前記表示部に表示される前記操作ボタンの位置、配置および大きさの３つの項目のうち少なくとも１つを変更する変更部と、
を備える、
商品管理装置。
【請求項２】
前記表示部は、前記操作ボタンを含む画面を切り替えるための切り替えボタンをさらに表示し、
前記変更部は、前記切り替えボタンの操作回数が変更前と比べてより少なくなるように、前記操作ボタンの位置、配置および大きさの３つの項目のうち少なくとも１つを変更する、
請求項１に記載の商品管理装置。
【請求項３】
前記表示部は、前記変更部によって変更された前記操作ボタンを、他の前記操作ボタンと異なる態様で表示する、
請求項１または２に記載の商品管理装置。
【請求項４】
前記変更部による変更が禁止される対象である前記操作ボタンを設定するための設定部をさらに備える、
請求項１から３のいずれか１項に記載の商品管理装置。
【請求項５】
前記操作ボタンは、前記操作者を特定するためのボタンを含む、
請求項１から４のいずれか１項に記載の商品管理装置。
【請求項６】
前記変更部は、連続した複数の勤務時間帯において前記操作者が勤務する場合には、前記操作ボタンの位置、配置および大きさを変更しない、
請求項５に記載の商品管理装置。
【請求項７】
前記操作ボタンは、前記店舗で販売される商品を特定するためのボタン、および、前記商品の販売に関する機能を特定するためのボタンの少なくとも一方を含む、
請求項１から６のいずれか１項に記載の商品管理装置。
【発明の詳細な説明】
【技術分野】
【０００１】
本発明は、店舗において複数の操作者によって使用され、かつ、使用時に操作者の選択を要求する商品管理装置に関する。
【背景技術】
【０００２】
従来、スーパーマーケット等の小売店舗、および、食品加工施設等の工場では、様々な商品管理装置が用いられている。例えば、対面計量器は、顧客が購入を希望する商品の種類および重量に基づいて、商品の価格を算出するための装置である。対面計量器は、通常、店舗内のカウンターの上に設置される。カウンターの一方の側では、店舗の従業員は、対面計量器を操作して、顧客が購入を希望する商品を計量して商品の価格を算出させる。カウンターの他方の側では、顧客は、対面計量器のディスプレイに表示されている価格を確認することができる。また、小売店舗では、一人の従業員が、複数の対面計量器を操作するオペレーションを取ることが多い。この場合、従業員は、顧客の位置に応じて移動しながら、近くにある対面計量器で商品の価格を算出することができる。
【０００３】
このようなオペレーションでは、従業員は、対面計量器を使用する時に、対面計量器の操作者として自身を登録する必要がある。例えば、従業員は、対面計量器のタッチパネルに表示されている従業員リストから、自身の名前を選択する。従業員リストは、各従業員の名前が付された操作者ボタンから構成される。従業員は、自身の名前が付された操作者ボタンをタッチして、自身を登録することができる。その後、従業員は、対面計量器のタッチパネルに表示されている商品リストから、顧客が購入を希望する商品を選択し、当該商品を対面計量器に載せて商品の価格を算出する。そして、顧客が商品を購入する度に、対面計量器を使用した従業員に関する情報が、対面計量器と接続されているコンピュータに記録される。
【発明の概要】
【発明が解決しようとする課題】
【０００４】
しかし、従業員の数が多い店舗では、対面計量器のタッチパネルに、全ての従業員の操作者ボタンを一度に表示できない場合がある。この場合、複数のページに操作者ボタンを配置し、タッチパネルには一度に１ページのみ表示させる方法が採られている。従業員は、タッチパネルに表示されている切り替えボタンをタッチすることで、ページを切り替えることができる。
【０００５】
このような対面計量器では、最初のページ以外のページに操作者ボタンが配置されている従業員は、対面計量器を使用する時に、切り替えボタンをタッチする必要がある。一方、最初のページに操作者ボタンが配置されている従業員は、対面計量器を使用する時に、切り替えボタンをタッチする必要がない。すなわち、ある従業員は、対面計量器を使用する時にページを切り替える操作を行う必要があり、他の従業員よりも接客時間がかかってしまう。また、従業員の数が多いほど、ページ数が多くなるため、従業員が操作者ボタンを選択するために必要な時間が増え、従業員が操作者ボタンの選択を誤る可能性が上がる。
【０００６】
また、従業員は、対面計量器の操作者として自身を登録した後に、対面計量器のタッチパネルに表示されている商品リストから、顧客が購入を希望する商品を選択する。従業員は、商品の名前が付された商品ボタンをタッチして、商品を選択する。商品の種類が多い場合には、特許文献１（特開２０１２−５６０８９号公報）に開示されているように、複数のページに商品ボタンが配置される。この場合、従業員は、タッチパネルに表示されている切り替えボタンをタッチすることで、ページを切り替えることができる。しかし、２ページ以降に配置されている商品を取り扱う従業員は、商品を選択する度に、ページを切り替える操作を行う必要があり、他の従業員よりも接客時間がかかってしまう。そのため、従業員に応じて、商品ボタンの配置を変更できることが好ましい。また、商品の種類が多いほど、ページ数が多くなるため、従業員が商品ボタンを選択するために必要な時間が増え、従業員が商品ボタンの選択を誤る可能性が上がる。
【０００７】
本発明の目的は、ボタンの選択に伴う労力を低減して、ボタンの確実な操作を実現することができる商品管理装置を提供することである。
【課題を解決するための手段】
【０００８】
本発明の第１観点に係る商品管理装置は、店舗において複数の操作者によって使用され、かつ、使用時に操作者の選択を要求する商品管理装置である。この商品管理装置は、表示部と、取得部と、変更部とを備える。表示部は、複数の操作ボタンを表示する。取得部は、操作者の勤務情報を取得する。変更部は、取得部が取得した勤務情報に基づいて、表示部に表示される操作ボタンの位置、配置および大きさの３つの項目のうち少なくとも１つを変更する。
【０００９】
この商品管理装置は、店舗の従業員である操作者の勤務スケジュールに関する勤務情報に基づいて、操作者が選択する操作ボタンの位置、配置および大きさの少なくとも１つを変更する。この商品管理装置は、勤務情報に応じて操作ボタンの表示を変更することで、操作ボタンの選択に伴う労力を低減して、操作者による操作ボタンの確実な操作を実現することができる。
【００１０】
本発明の第２観点に係る商品管理装置は、第１観点に係る商品管理装置であって、表示部は、操作ボタンを含む画面を切り替えるための切り替えボタンをさらに表示する。また、変更部は、切り替えボタンの操作回数が変更前と比べてより少なくなるように、操作ボタンの位置、配置および大きさの３つの項目のうち少なくとも１つを変更する。
【００１１】
この商品管理装置は、操作者による画面切り替え操作の回数を少なくすることで、操作ボタンの選択に伴う労力を低減して、操作者による操作ボタンの確実な操作を実現することができる。
【００１２】
本発明の第３観点に係る商品管理装置は、第１観点または第２観点に係る商品管理装置であって、表示部は、変更部によって変更された操作ボタンを、他の操作ボタンと異なる態様で表示する。
【００１３】
この商品管理装置は、一部の操作ボタンの表示態様が変更されたことに関して操作者に注意を喚起して、操作者による操作ボタンの確実な操作を実現することができる。
【００１４】
本発明の第４観点に係る商品管理装置は、第１観点から第３観点のいずれか１つに係る商品管理装置であって、変更部による変更が禁止される対象である操作ボタンを設定するための設定部をさらに備える。
【００１５】
この商品管理装置では、操作者は、表示態様を変更したくない操作ボタンを設定することができる。そのため、この商品管理装置は、操作ボタンの表示態様を設定することができる。
【００１６】
本発明の第５観点に係る商品管理装置は、第１観点から第４観点のいずれか１つに係る商品管理装置であって、操作ボタンは、操作者を特定するためのボタンを含む。
【００１７】
この商品管理装置は、例えば、勤務情報に基づいて、当日勤務する操作者を特定する操作ボタンを画面の１ページ目に表示することで、操作ボタンの選択に伴う労力を低減して、操作者による操作ボタンの確実な操作を実現することができる。
【００１８】
本発明の第６観点に係る商品管理装置は、第５観点に係る商品管理装置であって、変更部は、連続した複数の勤務時間帯において操作者が勤務する場合には、操作ボタンの位置、配置および大きさを変更しない。
【００１９】
この商品管理装置では、連続した複数の時間帯で勤務する操作者を特定する操作ボタンの表示は変更されないので、当該操作者は、勤務中、常に同じ操作ボタンを操作することができる。従って、この商品管理装置は、操作者による操作ボタンの確実な操作を実現することができる。
【００２０】
本発明の第７観点に係る商品管理装置は、第１観点から第６観点のいずれか１つに係る商品管理装置であって、操作ボタンは、店舗で販売される商品を特定するためのボタン、および、商品の販売に関する機能を特定するためのボタンの少なくとも一方を含む。
【００２１】
この商品管理装置は、例えば、店舗で当日販売される商品を特定する操作ボタンを画面の１ページ目に表示することで、操作ボタンの選択に伴う労力を低減して、操作者による操作ボタンの確実な操作を実現することができる。また、この商品管理装置は、例えば、商品管理装置の使用頻度が高い機能を特定する操作ボタンを画面の１ページ目に表示することで、操作ボタンの選択に伴う労力を低減して、操作者による操作ボタンの確実な操作を実現することができる。商品管理装置の機能は、商品の販売に関する機能であり、例えば、割引セール時に使用される割引ボタンである。
【発明の効果】
【００２２】
本発明に係る商品管理装置は、ボタンの選択に伴う労力を低減して、ボタンの確実な操作を実現することができる。
【図面の簡単な説明】
【００２３】
【図１】操作者側から視た対面計量器の斜視図である。
【図２】顧客側から視た対面計量器の斜視図である。
【図３】対面計量器のブロック構成図である。
【図４】操作者側表示部に表示される商品選択画面の例である。
【図５】操作者側表示部に表示される操作者選択画面の例である。
【図６】操作者側表示部に表示される操作者選択画面の例である。
【図７】シフトマスタの一例を表すテーブルである。
【図８】商品の登録が完了した直後の商品選択画面である。
【図９】ラベルの平面図である。
【図１０】レシートの平面図である。
【図１１】対面計量器の起動時の処理を表すフローチャートである。
【図１２】再配置プログラムのブロック制御図である。
【図１３】再配置リストの一例である。
【図１４】ボタン再配置処理の完了後における操作者選択画面の例である。
【図１５】変形例Ｅにおける、操作者ボタンの大きさを変更する処理の完了後における操作者選択画面の例である。
【発明を実施するための形態】
【００２４】
本発明の実施形態に係る商品管理装置について、図面を参照しながら説明する。以下に説明される実施形態は、本発明の具体例の一つであって、本発明の技術的範囲を限定するものではない。
【００２５】
商品管理装置は、スーパーマーケット等の小売店舗、および、食品加工施設等の工場で使用される種種の装置である。本実施形態では、商品管理装置の一種であり、スーパーマーケットで使用される対面計量器１００について説明する。
【００２６】
（１）対面計量器の構成
本実施形態に係る対面計量器１００は、スーパーマーケットの惣菜コーナーのショーケースの上に設置される。惣菜コーナー担当の従業員は、ショーケースを挟んで顧客と対面しながら、対面計量器１００を用いて、商品である種種の惣菜を量り売りする。ショーケースの一方の側では、従業員は、対面計量器１００を操作して、顧客が購入を希望する商品を計量し、商品の重量に応じた価格を算出する。ショーケースの他方の側では、顧客は、対面計量器１００に表示されている価格を確認する。
【００２７】
図１は、従業員である操作者側から視た対面計量器１００の斜視図である。図２は、顧客側から視た対面計量器１００の斜視図である。図３は、対面計量器１００のブロック構成図である。対面計量器１００は、主として、本体１０、計量部２０、操作部３０、顧客側表示部４０、印刷部５０および制御部６０を備えている。対面計量器１００は、スーパーマーケットの管理室に設置されている管理コンピュータに接続されている。
【００２８】
計量部２０は、本体１０の上面に配置されている。計量部２０の上には、顧客が購入を希望する商品が載せられる。計量部２０の上に一度に載せられる商品は、常に、一種類の惣菜である。複数種類の惣菜が、同時に、計量部２０の上に載せられることはない。
【００２９】
操作部３０は、本体１０の前面に配置されている。操作部３０は、入力キー部３１と、操作者側表示部３３とを有している。入力キー部３１は、本体１０の前面から視て、操作部３０の右側３分の１程度の領域を占有し、操作者側表示部３３は、残りの領域を占有している。入力キー部３１は、複数のボタンから構成される。操作者側表示部３３は、タッチパネル機能を搭載している液晶表示画面である。
【００３０】
顧客側表示部４０は、本体１０を挟んで操作部３０の反対側に配置されている。顧客側表示部４０は、タッチパネル機能を搭載していない液晶表示画面である。
【００３１】
印刷部５０は、本体１０の前面から視て、本体１０の右側に配置されている。印刷部５０は、印刷済みのラベルまたはレシートが排出される排出口５１を有している。排出口５１の内部には、ラベル用紙またはレシート用紙が収納されている。ラベル用紙またはレシート用紙は、搬送路を搬送され、サーマルヘッドによって印刷が行われた後に、排出口５１から排出される。
【００３２】
制御部６０は、本体１０の内部に配置されている。制御部６０は、ＣＰＵ６１と、ＲＯＭ６２と、ＲＡＭ６３と、記憶部６４と、タイマ６５とを主として備えるコンピュータである。図３に示されるように、制御部６０の各構成要素は、バス６９を介して互いに接続されている。制御部６０は、計量部２０、操作部３０、顧客側表示部４０および印刷部５０と接続されている。記憶部６４は、例えば、不揮発性メモリであるＨＤＤおよびＳＳＤである。記憶部６４は、種種の処理を実行するためのプログラム、および、プログラムによって用いられる情報が格納されたデータベースを記憶する。記憶部６４は、後述するシフトマスタ３６０および再配置プログラム４６０を記憶する。タイマ６５は、現在の日付や時刻、および、基準時からの経過時間等を取得するための電子部品である。
【００３３】
（２）操作者側表示部の表示内容
対面計量器１００の操作者側表示部３３は、主として、商品選択画面３５と、操作者選択画面３７とを表示する。図４は、操作者側表示部３３に表示される商品選択画面３５の例である。図５および図６は、操作者側表示部３３に表示される操作者選択画面３７の例である。商品選択画面３５および操作者選択画面３７には、複数の操作ボタンが表示されている。対面計量器１００の操作者は、操作ボタンをタッチすることで、当該操作ボタンに表示されている項目を選択することができる。
【００３４】
（２−１）商品選択画面の表示内容
商品選択画面３５は、操作者側表示部３３の表示画面の全体を占有している。商品選択画面３５は、最上段に日付表示欄３５０が配置されている。日付表示欄３５０の下段には、情報表示欄３５１および商品識別番号表示欄３５２が左から右に配置されている。情報表示欄３５１等が配置されている段の下段には、風袋重量表示欄３５３、商品重量表示欄３５４、単価表示欄３５５および値段表示欄３５６が左から右に配置されている。
【００３５】
風袋重量表示欄３５３等が配置されている段の下段には、商品ボタン表示欄３５７が配置されている。商品ボタン表示欄３５７には、複数の商品ボタン３５７ａが配置されている。各商品には、１つの商品ボタン３５７ａが割り当てられている。図４では、商品ボタン表示欄３５７には、種種のサラダの名称が付された１２個の商品ボタン３５７ａが、３行４列に配置されている。
【００３６】
商品ボタン表示欄３５７の下段には、商品切替ボタン表示欄３５８が配置されている。商品切替ボタン表示欄３５８には、複数の商品切替ボタン３５８ａが左から右に配置されている。図４では、商品切替ボタン表示欄３５８には、「サラダ」ボタン、「揚げ物」ボタン、「焼物」ボタンおよび「煮物」ボタンの４つの商品切替ボタン３５８ａが配置されている。商品ボタン表示欄３５７には、選択されている商品切替ボタン３５８ａに対応する商品の名称が付された商品ボタン３５７ａが配置される。図４では、商品切替ボタン表示欄３５８において「サラダ」ボタンが選択されているので、商品ボタン表示欄３５７には、種種のサラダの名称が付された商品ボタン３５７ａが配置されている。
【００３７】
値段表示欄３５６の下段、かつ、商品ボタン表示欄３５７および商品切替ボタン表示欄３５８の右側には、会計機能ボタン表示欄３５９が配置されている。会計機能ボタン表示欄３５９には、複数の会計機能ボタン３５９ａが上から下に配置されている。会計機能ボタン３５９ａには、会計に関する機能の名称が付されている。図４では、会計機能ボタン表示欄３５９には、「ゼロ」ボタン、「空送り」ボタン、「小計」ボタンおよび「表示」ボタンの４つの会計機能ボタン３５９ａが配置されている。「表示」ボタンは、図４において三角形が表示されている右下のボタンである。図４に示される状態で、操作者が「表示」ボタンをタッチすると、図５に示されるように、次に説明される操作者選択画面３７が表示される。
【００３８】
（２−２）操作者選択画面の表示内容
操作者選択画面３７は、操作者側表示部３３の表示画面の一部を占有している。操作者選択画面３７は、図５および図６において、太線で囲まれた領域に相当する。操作者選択画面３７は、図５および図６に示されるように、商品選択画面３５の上に重なるように表示される。操作者選択画面３７全体は、会計機能ボタン表示欄３５９の左側に配置されている。操作者選択画面３７が表示されている間、会計機能ボタン表示欄３５９には、「非表示」ボタンが配置されている。「非表示」ボタンは、図５および図６において三角形が表示されている右下のボタンである。操作者が「非表示」ボタンをタッチすると、操作者選択画面３７が消えて、図４に示されるように、商品選択画面３５の全体が表示される。
【００３９】
操作者選択画面３７の左側の領域には、従業員ボタン表示欄３７１が配置されている。従業員ボタン表示欄３７１には、複数の従業員ボタン３７１ａが配置されている。図５および図６では、従業員ボタン表示欄３７１には、従業員の名称が付された１５個の従業員ボタン３７１ａが、５行３列に配置されている。各従業員には、１つの従業員ボタン３７１ａが割り当てられている。
【００４０】
操作者選択画面３７の右側の領域の上半分には、風袋重量ボタン表示欄３７２が配置されている。風袋重量ボタン表示欄３７２には、複数の風袋重量ボタン３７２ａが配置されている。図５および図６では、風袋重量ボタン表示欄３７２には、「風袋８ｇ」ボタン、「風袋１２ｇ」ボタンおよび「風袋１８ｇ」ボタンの３つの風袋重量ボタン３７２ａが配置されている。風袋は、量り売りされる商品を入れるための容器である。
【００４１】
風袋重量ボタン表示欄３７２の下側には、販売機能ボタン表示欄３７３が配置されている。販売機能ボタン表示欄３７３には、複数の販売機能ボタン３７３ａが配置されている。販売機能ボタン３７３ａには、販売に関する機能の名称が付されている。図５および図６では、販売機能ボタン表示欄３７３には、「Ｍ特価」ボタン、「―％」ボタン、「売切れ」ボタンおよび「―円」ボタンの４つの販売機能ボタン３７３ａが配置されている。
【００４２】
販売機能ボタン表示欄３７３の下側には、操作者切替ボタン表示欄３７４が配置されている。操作者切替ボタン表示欄３７４には、前ページボタン３７４ａおよび次ページボタン３７４ｂが左から右に配置されている。
【００４３】
操作者選択画面３７の従業員ボタン表示欄３７１に表示可能な従業員ボタン３７１ａの数は、最大１５個である。そのため、従業員の数が１５人より多い場合、全ての従業員ボタン３７１ａを従業員ボタン表示欄３７１に一度に表示させることができない。この場合、複数の従業員ボタン表示欄３７１を用意して、操作者選択画面３７は、複数の従業員ボタン表示欄３７１のうちの１つを表示する。前ページボタン３７４ａおよび次ページボタン３７４ｂは、操作者選択画面３７に表示される従業員ボタン表示欄３７１を切り替えるための操作ボタンである。
【００４４】
従業員ボタン表示欄３７１の切り替えについて具体的に説明する。図５では、操作者選択画面３７に１ページ目の従業員ボタン表示欄３７１が表示されている。図６では、操作者選択画面３７に２ページ目の従業員ボタン表示欄３７１が表示されている。１ページ目の従業員ボタン表示欄３７１は、操作者選択画面３７を操作者側表示部３３に表示させたときに最初に表示される。従業員ボタン表示欄３７１を１ページ目から２ページ目に切り替える場合、操作者は、次ページボタン３７４ｂをタッチする。反対に、従業員ボタン表示欄３７１を２ページ目から１ページ目に切り替える場合、操作者は、前ページボタン３７４ａをタッチする。
【００４５】
すなわち、次ページボタン３７４ｂは、現在表示されている従業員ボタン表示欄３７１を削除して、次のページの従業員ボタン表示欄３７１を表示し、前ページボタン３７４ａは、現在表示されている従業員ボタン表示欄３７１を削除して、前のページの従業員ボタン表示欄３７１を表示する。なお、従業員ボタン表示欄３７１に１ページ目の従業員ボタン表示欄３７１が表示されている場合、前ページボタン３７４ａを非表示にしてもよく、従業員ボタン表示欄３７１に最終ページの従業員ボタン表示欄３７１が表示されている場合、次ページボタン３７４ｂを非表示にしてもよい。
【００４６】
（３）シフトマスタの構造
制御部６０の記憶部６４は、シフトマスタ３６０を記憶している。シフトマスタ３６０は、従業員の勤務情報に関するテーブルである。図７は、シフトマスタ３６０の一例を表す。シフトマスタ３６０は、従業員ＩＤ３６１、従業員名３６２、および、勤務スケジュール３６３が互いに関連付けられたテーブルである。従業員ＩＤ３６１は、従業員を一意に識別するための３桁の数値である。シフトマスタ３６０は、従業員ＩＤ３６１を主キーとして管理される。従業員名３６２は、対応する従業員ＩＤ３６１を有する従業員の名前である。勤務スケジュール３６３は、対応する従業員ＩＤ３６１を有する従業員の勤務スケジュールである。
【００４７】
図７に示されるシフトマスタ３６０では、勤務スケジュール３６３は、９月１日から９月７日までの一週間の各営業日において、営業時間の前半である１０時から１６時までの第１時間帯（図７に示される「Ｐ１」）、および、営業時間の後半である１６時から２２時までの第２時間帯（図７に示される「Ｐ２」）について設定されている。勤務スケジュール３６３は、従業員が各時間帯において勤務する予定であるか否かを表す。ある従業員の勤務スケジュール３６３において「○」が記載されている時間帯は、当該従業員が勤務する予定である時間帯であることを意味する。例えば、図７において、従業員ＩＤが「００５」である従業員は、９月１日から９月４日までの各営業日の第１時間帯および第２時間帯、および、９月５日の第１時間帯において勤務する予定である。なお、勤務スケジュール３６３は、図７に示されるように一週間ごとに設定されてもよく、一日ごと、または、任意の期間ごとに設定されてもよい。また、勤務スケジュール３６３に設定される時間帯およびその数は、任意であってもよい。例えば、２４時間営業のスーパーマーケットでは、勤務スケジュール３６３には、６時から１４時までの時間帯、１４時から２２時までの時間帯、および、２２時から翌日の６時までの時間帯の３つの時間帯が設定されてもよい。
【００４８】
勤務情報を管理する従業員である管理者は、対面計量器１００と接続されている管理コンピュータに各従業員の勤務情報を入力する。対面計量器１００は、管理コンピュータから勤務情報を取得して、取得した情報に基づいてシフトマスタ３６０を生成して記憶部６４に保存する。しかし、管理者は、対面計量器１００の操作部３０を用いて、各従業員の勤務情報を対面計量器１００に直接入力してシフトマスタ３６０を生成し、記憶部６４に保存してもよい。
【００４９】
（４）対面計量器の使用方法
次に、スーパーマーケットの従業員が対面計量器１００を使用する手順について説明する。具体的には、従業員が、対面計量器１００を使用して、商品の販売に関する取引を顧客との間で成立させるための手順について説明する。
【００５０】
スーパーマーケットの開店前に、従業員は、対面計量器１００の電源をオンにして、対面計量器１００を起動する。対面計量器１００は、起動時において、後述のボタン再配置処理を実行する。
【００５１】
対面計量器１００が設置されている惣菜コーナーでは、種種のサラダが量り売り形式で販売されている。惣菜コーナーのショーケースには、各サラダが盛られた大皿が陳列されている。各大皿には、それに盛られているサラダの商品ラベルが付されている。商品ラベルには、サラダの名称、サラダの１００ｇ当たりの価格である単価、および、サラダの１００ｇ当たりのカロリー等の情報が印刷されている。
【００５２】
惣菜コーナーを訪れた顧客は、ショーケースに陳列されているサラダおよび商品ラベルを見て、購入するサラダを選択する。顧客は、購入を希望するサラダの名称および重量を従業員に告げて注文する。ここでは、顧客は、ポテトサラダを２００ｇ注文したと仮定する。
【００５３】
従業員は、顧客からの注文を受けると、対面計量器１００の操作を開始する。最初に、従業員は、操作者側表示部３３に操作者選択画面３７を表示させて、操作者選択画面３７において、対面計量器１００の操作者として自分自身を登録する。具体的には、従業員は、操作者選択画面３７の従業員ボタン表示欄３７１に含まれる、自分自身の名前が付された従業員ボタン３７１ａをタッチする。この操作により、従業員の登録が完了する。
【００５４】
次に、従業員は、操作者選択画面３７において、使用する風袋を登録する。具体的には、従業員は、操作者選択画面３７の風袋重量ボタン表示欄３７２に含まれる、使用する風袋に対応する風袋重量ボタン３７２ａをタッチする。この操作により、風袋の登録が完了する。ここでは、従業員は、「風袋１２ｇ」と表示された風袋重量ボタン３７２ａをタッチして、１２ｇの風袋が登録されたと仮定する。
【００５５】
次に、従業員は、ショーケースの扉を開けて、ポテトサラダが盛られた大皿から、２００ｇのポテトサラダを、先ほど登録された風袋に対応するプラスチック容器に入れる。次に、従業員は、ポテトサラダ入りのプラスチック容器を、対面計量器１００の計量部２０の上に載せる。
【００５６】
次に、従業員は、操作者側表示部３３に商品選択画面３５を表示させ、商品選択画面３５において、顧客が注文した商品を登録する。具体的には、従業員は、商品選択画面３５の商品ボタン表示欄３５７に含まれる、顧客が注文した商品である「ポテトサラダ」と表示された商品ボタン３５７ａをタッチする。この操作により、商品の登録が完了する。
【００５７】
図８は、商品の登録が完了した直後の商品選択画面３５である。日付表示欄３５０には、タイマ６５が取得した現在の日付や時間が表示される。情報表示欄３５１には、登録された商品の名称である「ポテトサラダ」の文字列が表示される。商品識別番号表示欄３５２には、登録された商品に一意に割り当てられている識別番号が表示される。
【００５８】
風袋重量表示欄３５３には、登録された風袋であるプラスチック容器の重量が表示される。風袋の重量は、１２ｇである。
【００５９】
商品重量表示欄３５４には、計量部２０に載せられたポテトサラダの重量が表示される。制御部６０は、計量部２０に載せられたポテトサラダ入りのプラスチック容器の重量を取得し、取得した重量から、登録された風袋の重量を減じて、ポテトサラダのみの重量を算出する。商品重量表示欄３５４に表示される重量が、顧客が希望する２００ｇに満たない場合には、プラスチック容器に適量のポテトサラダを追加する。反対に、商品重量表示欄３５４に表示される重量が、顧客が希望する２００ｇを超えている場合には、プラスチック容器から適量のポテトサラダを取り除く。しかし、量り売りでは、顧客が要求する重量の商品を正確に取り出すことは困難である。そのため、顧客の同意の下、商品の重量にはある程度の誤差が許容される。ここでは、従業員は、２０３ｇのポテトサラダをプラスチック容器に入れたと仮定する。
【００６０】
単価表示欄３５５には、登録された商品の単価が表示される。各商品の単価は、対面計量器１００に接続されている管理用コンピュータで一括管理されている。制御部６０は、管理用コンピュータから登録された商品の単価を取得する。ここでは、ポテトサラダの単価は、１９８円／１００ｇであると仮定する。
【００６１】
値段表示欄３５６には、商品重量表示欄３５４に表示されている商品の重量と、単価表示欄３５５に表示されている商品の単価とに基づいて算出された商品の価格が表示される。単価が１９８円／１００ｇであるポテトサラダ２０３ｇの価格は、４０２円である。
【００６２】
対面計量器１００の顧客側表示部４０には、情報表示欄３５１、商品重量表示欄３５４、単価表示欄３５５および値段表示欄３５６に表示されている情報等が表示される。そのため、顧客は、顧客側表示部４０を見て、購入する商品の重量（２０３ｇ）、単価（１９８円／１００ｇ）および価格（４０２円）を確認することができる。従業員は、これらの情報を顧客に確認してもらい、取引を成立させてもよいか否かについて顧客に確認をとる。顧客は、取引を成立させる場合、商品の購入に必要な金額である４０２円を従業員に支払い、従業員は、ポテトサラダ入りのプラスチック容器を顧客に渡して、取引が成立する。このとき、従業員は、印刷部５０の排出口５１から排出されたラベルを、ポテトサラダ入りのプラスチック容器に貼付して、排出口５１から排出されたレシートと共に、顧客に渡す。図９は、ラベルの平面図である。図１０は、レシートの平面図である。
【００６３】
従業員と顧客との間の取引が成立する度に、対面計量器１００を使用した従業員に関する情報、および、従業員と顧客との間で成立した取引に関する情報等が、対面計量器１００から管理用コンピュータに送信される。管理用コンピュータは、店舗内に設置される全ての対面計量器１００からこれらの情報を受信して、従業員および商品を一元的に管理する。
【００６４】
なお、対面計量器１００が設置されている惣菜コーナーでは、一人の従業員が、複数の対面計量器１００を操作して、複数の顧客を同時に接客するオペレーションを取ることが多い。この場合、従業員は、顧客の位置に応じて移動しながら、近くにある対面計量器１００を使用して、各顧客が購入する商品の価格を算出する。
【００６５】
（５）ボタン再配置処理
次に、対面計量器１００の起動直後に行われるボタン再配置処理について説明する。図１１は、ボタン再配置処理のフローチャートである。対面計量器１００の記憶部６４は、ボタン再配置処理を実行するための再配置プログラム４６０を記憶している。図１２は、再配置プログラム４６０のブロック制御図である。再配置プログラム４６０は、現在時刻取得部４６１と、勤務情報取得部４６２と、再配置リスト制御部４６３と、従業員ＩＤ取得部４６４と、判断部４６５と、ボタン変更部４６６とを有する。
【００６６】
以下に説明されるボタン再配置処理では、操作者選択画面３７において、ボタン再配置処理が実行された日に勤務する予定の従業員に対応する従業員ボタン３７１ａが、１ページ目の従業員ボタン表示欄３７１に表示されるように、従業員ボタン３７１ａの位置および配置の少なくとも一方が変更される。
【００６７】
最初に、ステップＳ１において、現在時刻取得部４６１は、タイマ６５から現在の日付および時刻を取得する。現在の日付は、９月１日であると仮定する。
【００６８】
次に、ステップＳ２において、勤務情報取得部４６２は、記憶部６４に記憶されているシフトマスタ３６０を読み込んで、全従業員の勤務情報を取得する。シフトマスタ３６０は、図７に示されるものを用いると仮定する。
【００６９】
次に、ステップＳ３において、再配置リスト制御部４６３は、ステップＳ２で取得された勤務情報に基づいて、現在の日付である９月１日に勤務する全ての従業員の従業員ＩＤが列挙された再配置リストを作成する。図１３は、再配置リストの例である。図１３に示される再配置リストには、図７に示されるシフトマスタ３６０において、９月１日に勤務する全ての従業員の従業員ＩＤが列挙されている。
【００７０】
次に、ステップＳ４のループの始まりにおいて、従業員ＩＤ取得部４６４は、図５に示される操作者選択画面３７の１ページ目の従業員ボタン表示欄３７１に表示されている従業員ボタン３７１ａに対応する従業員の従業員ＩＤを１つ取得する。ステップＳ５〜Ｓ７は、ステップＳ４のループの始まりにおいて取得された従業員ＩＤに対して実行される処理である。１ページ目の従業員ボタン表示欄３７１に表示されている全ての従業員ボタン３７１ａに対応する従業員の従業員ＩＤを従業員ＩＤ取得部４６４が取得した場合、ステップＳ４のループを抜ける。すなわち、ステップＳ４のループにおいて全ての従業員ＩＤが１つずつ取得され、取得された各従業員ＩＤに対してステップＳ５〜Ｓ７が実行されると、ステップＳ８に移行する。
【００７１】
ステップＳ５では、判断部４６５は、ステップＳ４のループの始まりにおいて取得された従業員ＩＤが、ステップＳ３で作成された再配置リストに含まれているか否かを判断する。再配置リストに含まれている場合、ステップＳ６に移行し、再配置リストに含まれていない場合、ステップＳ７に移行する。
【００７２】
ステップＳ６では、再配置リスト制御部４６３は、ステップＳ４のループの始まりにおいて取得された従業員ＩＤを再配置リストから削除する。これは、ステップＳ４のループの始まりにおいて取得された従業員ＩＤに対応する従業員ボタン３７１ａは、１ページ目の従業員ボタン表示欄３７１に既に表示されているので、当該従業員ボタン３７１ａの配置を変更する必要がないからである。
【００７３】
ステップＳ７では、ボタン変更部４６６は、ステップＳ４のループの始まりにおいて取得された従業員ＩＤに対応する従業員ボタン３７１ａを、１ページ目の従業員ボタン表示欄３７１から削除する。従業員ボタン３７１ａが削除されて空欄となった領域は、他の従業員ボタン３７１ａが再配置される可能性がある領域である。
【００７４】
ステップＳ８では、ボタン変更部４６６は、再配置リストに列挙されている従業員ＩＤに対応する従業員ボタン３７１ａを、１ページ目の従業員ボタン表示欄３７１に存在する空欄に配置する。空欄が存在しない場合には、次のページの従業員ボタン表示欄３７１の空欄に再配置する。また、ボタン変更部４６６は、ステップＳ７で削除された従業員ボタン３７１ａを、２ページ目以降の従業員ボタン表示欄３７１の空欄に配置する。以上の処理により、従業員ボタン３７１ａの再配置処理が完了する。
【００７５】
図１４は、ボタン再配置処理の完了後における、１ページ目の従業員ボタン表示欄３７１を表示する操作者側表示部３３を表す。図１４では、図７に示されるシフトマスタ３６０において９月１日に勤務する予定の従業員の従業員ボタン３７１ａのみが従業員ボタン表示欄３７１に表示されている。
【００７６】
ボタン再配置処理の完了後、制御部６０は、操作者側表示部３３に商品選択画面３５を表示する。以降、従業員は、対面計量器１００を使用することができる。
【００７７】
（６）対面計量器の特徴
本実施形態に係る対面計量器１００は、起動時において、シフトマスタ３６０および再配置プログラム４６０を用いて、操作者選択画面３７の従業員ボタン表示欄３７１に表示される従業員ボタン３７１ａの位置および配置の少なくとも一方を変更するボタン再配置処理を行う。
【００７８】
ボタン再配置処理が実行された後、操作者選択画面３７に表示される１ページ目の従業員ボタン表示欄３７１には、対面計量器１００を起動した日に勤務する予定の全従業員の従業員ボタン３７１ａが表示される。そのため、従業員は、対面計量器１００の使用時に操作者選択画面３７において自分自身を登録する際に、次ページボタン３７４ｂをタッチして従業員ボタン表示欄３７１を切り替える必要がない。
【００７９】
すなわち、対面計量器１００は、シフトマスタ３６０に記憶されている従業員の勤務情報に基づいて従業員ボタン３７１ａの再配置を自動的に実行することで、対面計量器１００の使用時において従業員が自分自身を登録するために従業員ボタン３７１ａを選択する際の労力を低減することができる。これにより、従業員による従業員ボタン３７１ａの選択ミスが低減される。従って、対面計量器１００は、従業員による従業員ボタン３７１ａの確実な操作を実現することができる。
【００８０】
また、対面計量器１００は、１ページ目の従業員ボタン表示欄３７１に、対面計量器１００を起動した日に勤務する予定の全従業員の従業員ボタン３７１ａを表示できない場合には、表示できなかった従業員ボタン３７１ａを、２ページ目の従業員ボタン表示欄３７１に表示する。すなわち、対面計量器１００は、従業員が次ページボタン３７４ｂをタッチして従業員ボタン表示欄３７１を切り替える回数ができるだけ少なくなるように、従業員ボタン３７１ａの再配置を実行する。これにより、従業員による従業員ボタン３７１ａの選択ミスが低減される。従って、対面計量器１００は、従業員による従業員ボタン３７１ａの確実な操作を実現することができる。
【００８１】
（７）変形例
以上、本発明の実施形態について説明したが、本発明の具体的構成は、本発明の要旨を逸脱しない範囲内で変更可能である。次に、本実施形態に対する適用可能な変形例について説明する。
【００８２】
（７−１）変形例Ａ
実施形態の対面計量器１００は、起動時において、再配置プログラム４６０を実行してボタン再配置処理を行う。ボタン再配置処理では、ボタン変更部４６６は、操作者選択画面３７の従業員ボタン表示欄３７１に表示される従業員ボタン３７１ａの位置および配置の少なくとも一方を自動的に変更する。
【００８３】
しかし、ボタン再配置処理において、ボタン変更部４６６は、位置や配置が変更された従業員ボタン３７１ａを、他の従業員ボタン３７１ａと異なる態様で表示する処理をさらに行ってもよい。例えば、ボタン変更部４６６は、位置や配置が変更された従業員ボタン３７１ａを、他の従業員ボタン３７１ａと異なる色で表示してもよい。また、ボタン変更部４６６は、位置や配置が変更された従業員ボタン３７１ａに付されている従業員の名前を太字で表してもよい。
【００８４】
本変形例では、従業員は、操作者選択画面３７において自分自身を登録する際に、位置や配置が変更された従業員ボタン３７１ａを容易に把握することができる。そのため、対面計量器１００は、自分自身の従業員ボタン３７１ａの位置や配置が変更された可能性があることについて、従業員に注意を喚起することができる。従って、対面計量器１００は、従業員による従業員ボタン３７１ａの確実な操作を実現することができる。
【００８５】
（７−２）変形例Ｂ
実施形態の対面計量器１００は、起動時において、再配置プログラム４６０を実行してボタン再配置処理を行う。ボタン再配置処理では、ボタン変更部４６６は、操作者選択画面３７の従業員ボタン表示欄３７１に表示される従業員ボタン３７１ａの位置および配置の少なくとも一方を自動的に変更する。
【００８６】
しかし、再配置プログラム４６０は、ボタン変更部４６６による位置や配置の変更が禁止される対象である従業員ボタン３７１ａを設定するための変更禁止ボタン設定部をさらに有してもよい。この場合、従業員は、自分自身の従業員ボタン３７１ａの位置や配置が自動的に変更されたくない場合において、自分自身の従業員ボタン３７１ａを、ボタン変更部４６６による位置や配置の変更の対象外とすることができる。
【００８７】
本変形例では、対面計量器１００の従業員は、再配置プログラム４６０により位置や配置を自動的に変更されたくない従業員ボタン３７１ａを設定することができる。そのため、この対面計量器１００は、従業員の好みに応じて、従業員ボタン３７１ａの位置や配置を設定することができる。
【００８８】
（７−３）変形例Ｃ
実施形態の対面計量器１００は、起動時において、再配置プログラム４６０を実行してボタン再配置処理を行う。再配置プログラム４６０は、対面計量器１００が起動される度に、シフトマスタ３６０を読み込み、当日の従業員の勤務スケジュールに応じて、ボタン再配置処理を行う。
【００８９】
しかし、連続した複数の時間帯において従業員が勤務する場合には、再配置プログラム４６０は、その連続した時間帯において、従業員の従業員ボタン３７１ａの位置や配置を変更しない処理を行ってもよい。
【００９０】
例えば、図７に示されるシフトマスタ３６０において、従業員ＩＤが「０１０」である従業員は、９月１日から９月３日まで連続して３日間勤務する予定である。この場合、再配置プログラム４６０は、９月１日から９月３日までの３日間、この従業員の従業員ボタン３７１ａの位置や配置を変更しない。これにより、この従業員は、９月１日から９月３日までの３日間、対面計量器１００の使用時に自分自身を登録する際に、常に同じ位置にある従業員ボタン３７１ａをタッチすることができる。
【００９１】
本変形例では、再配置プログラム４６０は、連続した複数の時間帯で勤務する予定の従業員の従業員ボタン３７１ａの位置や配置が変更されないので、その従業員は、連続した時間帯で勤務している間は、自分自身の従業員ボタン３７１ａに容易にアクセスすることができる。従って、この対面計量器１００は、従業員による従業員ボタン３７１ａの確実な操作を実現することができる。
【００９２】
（７−４）変形例Ｄ
実施形態の対面計量器１００は、起動時にボタン再配置処理を行う。ボタン再配置処理では、操作者選択画面３７の従業員ボタン表示欄３７１に表示される従業員ボタン３７１ａの位置および配置の少なくとも一方が変更される。対面計量器１００は、ボタン変更部４６６によるボタン再配置処理の実行により、従業員による従業員ボタン３７１ａの確実な操作を実現することができる。
【００９３】
しかし、ボタン変更部４６６は、従業員による従業員ボタン３７１ａの確実な操作を実現するために、従業員ボタン３７１ａの位置や配置を変更する代わりに、従業員ボタン３７１ａの大きさを変更する処理を行ってもよい。図１５は、本変形例における、１ページ目の従業員ボタン表示欄３７１を表示する操作者側表示部３３を表す。図１５では、対面計量器１００を起動した日に勤務する予定の従業員の従業員ボタン３７１ａが、他の従業員ボタン３７１ａよりも２倍大きく表示されている。図１５において、一部の従業員ボタン３７１ａを大きく表示したことにより従業員ボタン表示欄３７１に表示できなくなった従業員ボタン３７１ａは、削除されるか、２ページ目以降の従業員ボタン表示欄３７１に配置される。
【００９４】
本変形例では、従業員は、操作者選択画面３７において自分自身を登録する際に、大きく表示されている自分自身の従業員ボタン３７１ａを容易に把握することができる。従って、対面計量器１００は、従業員による従業員ボタン３７１ａの確実な操作を実現することができる。
【００９５】
なお、ボタン変更部４６６は、従業員ボタン３７１ａの位置や配置を変更すると共に、従業員ボタン３７１ａの大きさをさらに変更する処理を行ってもよい。
【００９６】
また、本変形例は、変形例Ａ〜Ｃにも適用可能である。例えば、変形例Ａにおいて、ボタン変更部４６６は、大きさが変更された従業員ボタン３７１ａを、他の従業員ボタン３７１ａと異なる態様で表示する処理をさらに行ってもよい。
【００９７】
（７−５）変形例Ｅ
実施形態の対面計量器１００は、起動時にボタン再配置処理を行う。ボタン再配置処理の対象となる操作ボタンは、従業員の登録に使用される従業員ボタン３７１ａである。
【００９８】
しかし、ボタン再配置処理の対象となる操作ボタンは、さらに、販売される商品を登録するための商品ボタン３５７ａであってもよい。上述したように、図５に示される商品選択画面３５では、従業員は、商品ボタン表示欄３５７に表示される商品ボタン３５７ａを、商品切替ボタン３５８ａによって切り替えることができる。対面計量器１００の起動時に表示される商品選択画面３５では、一番左に配置されている商品切替ボタン３５８ａが選択されている。以下、一番左に配置されている商品切替ボタン３５８ａが選択されているときの商品ボタン表示欄３５７を、１ページ目の商品ボタン表示欄３５７と呼ぶ。
【００９９】
本変形例では、対面計量器１００は、使用頻度が高い商品ボタン３５７ａを、１ページ目の商品ボタン表示欄３５７に表示することができる。これにより、従業員は、商品選択画面３５において顧客が購入を希望する商品を登録する際に、商品切替ボタン３５８ａをタッチする回数を低減することができる。従って、対面計量器１００は、商品ボタン３５７ａを従業員が選択する際の労力を低減して、従業員による商品ボタン３５７ａの確実な操作を実現することができる。
【０１００】
同様に、ボタン再配置処理の対象となる操作ボタンは、さらに、会計機能ボタン３５９ａであってもよい。この場合、会計機能ボタン３５９ａは、複数の会計機能ボタン表示欄３５９に亘って表示され、商品選択画面３５には、会計機能ボタン表示欄３５９を切り替えるための操作ボタンが表示される。対面計量器１００は、使用頻度が高い会計機能ボタン３５９ａを、１ページ目の会計機能ボタン表示欄３５９に表示する。これにより、対面計量器１００は、会計機能ボタン３５９ａを従業員が選択する際の労力を低減して、従業員による会計機能ボタン３５９ａの確実な操作を実現することができる。
【０１０１】
同様に、ボタン再配置処理の対象となる操作ボタンは、さらに、販売機能ボタン３７３ａであってもよい。この場合、販売機能ボタン３７３ａは、複数の販売機能ボタン表示欄３７３に亘って表示され、操作者選択画面３７には、販売機能ボタン表示欄３７３を切り替えるための操作ボタンが表示される。対面計量器１００は、使用頻度が高い販売機能ボタン３７３ａを、１ページ目の販売機能ボタン表示欄３７３に表示する。これにより、対面計量器１００は、販売機能ボタン３７３ａを従業員が選択する際の労力を低減して、従業員による販売機能ボタン３７３ａの確実な操作を実現することができる。
【０１０２】
（７−６）変形例Ｆ
実施形態の対面計量器１００は、起動時において、シフトマスタ３６０および再配置プログラム４６０を用いて、操作者選択画面３７の従業員ボタン表示欄３７１に表示される従業員ボタン３７１ａの位置および配置の少なくとも一方を変更するボタン再配置処理を行う。
【０１０３】
しかし、対面計量器１００は、従業員が所持しているスマートＩＤと無線通信をしてボタン再配置処理を行ってもよい。スマートＩＤは、各従業員に配布される携帯機器である。各スマートＩＤには、配布された従業員の従業員ＩＤが記憶されている。スマートＩＤは、近くの対面計量器１００に従業員ＩＤを送信することができる。対面計量器１００は、近くのスマートＩＤから従業員ＩＤを受信することができる。
【０１０４】
スマートＩＤをポケット等に入れて所持している従業員が対面計量器１００に接近すると、対面計量器１００は、スマートＩＤと無線通信を行って、接近した従業員の従業員ＩＤを取得する。対面計量器１００は、取得した従業員ＩＤに基づいて、従業員の勤務情報を生成する。そして、対面計量器１００は、生成された勤務情報に基づいて、操作者選択画面３７の従業員ボタン表示欄３７１に表示される従業員ボタン３７１ａの位置および配置の少なくとも一方を変更するボタン再配置処理を行う。
【０１０５】
（７−７）変形例Ｇ
実施形態の商品管理装置は、スーパーマーケット等の小売店舗で使用される対面計量器１００である。しかし、商品管理装置は、小売店舗において、他の目的で使用される他の装置であってよい。例えば、商品管理装置は、ＰＯＳ、ラベラおよび包装計量値付機であってもよい。
【０１０６】
（７−８）変形例Ｈ
実施形態の商品管理装置は、スーパーマーケット等の小売店舗で使用される対面計量器１００である。しかし、商品管理装置は、小売店舗以外の場所で使用されてもよい。例えば、商品管理装置は、加工食品を製造して小売店舗に卸売りする食品加工施設等の工場で使用されてもよい。この場合、商品管理装置は、製袋包装機、組み合わせ計量機、Ｘ線検査機および重量選別機等として使用される。
【産業上の利用可能性】
【０１０７】
本実施形態に係る商品管理装置は、ボタンの選択に伴う労力を低減して、ボタンの確実な操作を実現することができる。
【符号の説明】
【０１０８】
３３      操作者側表示部（表示部）
１００      対面計量器（商品管理装置）
３７１ａ    従業員ボタン（操作ボタン）
３７４ａ    前ページボタン（切り替えボタン）
３７４ｂ    次ページボタン（切り替えボタン）
４６２      勤務情報取得部（取得部）
４６６      ボタン変更部（変更部）
【先行技術文献】
【特許文献】
【０１０９】
【特許文献１】特開２０１２−５６０８９号公報
【図１】
2016062341.tif 000003
【図２】
2016062341.tif 000004
【図３】
2016062341.tif 000005
【図４】
2016062341.tif 000006
【図５】
2016062341.tif 000007
【図６】
2016062341.tif 000008
【図７】
2016062341.tif 000009
【図８】
2016062341.tif 000010
【図９】
2016062341.tif 000011
【図１０】
2016062341.tif 000012
【図１１】
2016062341.tif 000013
【図１２】
2016062341.tif 000014
【図１３】
2016062341.tif 000015
【図１４】
2016062341.tif 000016
【図１５】
2016062341.tif 000017